【手続補正書】
【提出日】平成28年2月3日(2016.2.3)
【手続補正１】
【補正対象書類名】明細書
【補正対象項目名】０００５
【補正方法】変更
【補正の内容】
【０００５】
本発明の目的を達成するために、例えば、本発明の画像処理装置は、見開き２ページが撮像された撮像画像を取得する取得手段と、
前記撮像画像上の基準領域を取得する基準領域取得手段と、
前記撮像画像中の見開き２ページのうち前記基準領域に対応する第１のページ内の画像を、該見開き２ページにおいて後方側のページの画像として登録し、前記撮像画像中の見開き２ページのうち該第１のページとは異なる第２のページ内の画像を、該見開き２ページにおいて前方側のページの画像として登録する登録手段と
を備えることを特徴とする。
【手続補正２】
【補正対象書類名】明細書
【補正対象項目名】０１０７
【補正方法】変更
【補正の内容】
【０１０７】
ステップＳ１２１５では、ＣＰＵ２０４は原稿判定部１０６として機能し、ステップＳ１２１２で歪み補正処理を行った画像から一致領域を取り除いた残りの領域の枠を特定する。
【手続補正３】
【補正対象書類名】特許請求の範囲
【補正対象項目名】全文
【補正方法】変更
【補正の内容】
【特許請求の範囲】
【請求項１】
見開き２ページが撮像された撮像画像を取得する取得手段と、
前記撮像画像上の基準領域を取得する基準領域取得手段と、
前記撮像画像中の見開き２ページのうち前記基準領域に対応する第１のページ内の画像を、該見開き２ページにおいて後方側のページの画像として登録し、前記撮像画像中の見開き２ページのうち該第１のページとは異なる第２のページ内の画像を、該見開き２ページにおいて前方側のページの画像として登録する登録手段と
を備えることを特徴とする画像処理装置。
【請求項２】
前記基準領域取得手段は、前記取得手段が前記撮像画像に先行して取得した先行撮像画像中の見開き２ページにおいて後方側のページの領域を前記基準領域として取得することを特徴とする請求項１に記載の画像処理装置。
【請求項３】
前記基準領域取得手段は、前記取得手段が前記撮像画像に先行して取得した１ページの先行撮像画像において該１ページの領域を前記基準領域として取得することを特徴とする請求項１に記載の画像処理装置。
【請求項４】
前記登録手段は、前記撮像画像中の見開き２ページのうち前記第１のページ内の画像を奇数ページの画像として登録し、前記見開き２ページのうち前記第２のページ内の画像を偶数ページの画像として登録することを特徴とする請求項１乃至３の何れか１項に記載の画像処理装置。
【請求項５】
前記登録手段は、登録対象となる画像の形状及び向きを補正してから登録することを特徴とする請求項１乃至４の何れか１項に記載の画像処理装置。
【請求項６】
更に、
前記登録手段が登録した画像を保持する保持手段を備えることを特徴とする請求項１乃至５の何れか１項に記載の画像処理装置。
【請求項７】
更に、
前記保持手段が保持する画像をページ順に並べた電子文書を生成する生成手段を備えることを特徴とする請求項６に記載の画像処理装置。
【請求項８】
前記取得手段は、前記見開き２ページが原稿台上で静止した状態で撮像された撮像画像を取得することを特徴とする請求項１乃至７の何れか１項に記載の画像処理装置。
【請求項９】
画像処理装置が行う画像処理方法であって、
前記画像処理装置の取得手段が、見開き２ページが撮像された撮像画像を取得する取得工程と、
前記画像処理装置の基準領域取得手段が、前記撮像画像上の基準領域を取得する基準領域取得工程と、
前記画像処理装置の登録手段が、前記撮像画像中の見開き２ページのうち前記基準領域に対応する第１のページ内の画像を、該見開き２ページにおいて後方側のページの画像として登録し、前記撮像画像中の見開き２ページのうち該第１のページとは異なる第２のページ内の画像を、該見開き２ページにおいて前方側のページの画像として登録する登録工程と
を備えることを特徴とする画像処理方法。
【請求項１０】
原稿台上に載置された複数枚綴りの原稿を撮像するために設けられた撮像部が、１枚の原稿がめくられる度に撮像した該原稿の撮像画像を取得する手段と、
前記撮像部がｐ（ｐは２以上の自然数）回目に撮像した撮像画像を撮像画像ｐとし、撮像画像ｐに対し、撮像画像（ｐ−１）から特定されている（２ｐ−３）ページ目の原稿領域と同位置に領域を設定し、該設定した領域から（２ｐ−１）ページ目の原稿領域を特定すると共に、該特定した原稿領域内の画像を（２ｐ−１）ページ目の原稿画像として取得する第１の取得手段と、
撮像画像（ｐ−１）から（２ｐ−４）ページ目の原稿領域が特定されていない場合には、撮像画像ｐ中の（２ｐ−１）ページ目の原稿領域から撮像画像ｐ中における（２ｐ−２）ページ目の原稿領域を特定する第１の特定手段と、
撮像画像（ｐ−１）から（２ｐ−４）ページ目の原稿領域が特定されている場合には、撮像画像ｐに対し、（２ｐ−４）ページ目の原稿領域と同位置に領域を設定し、該設定した領域から（２ｐ−２）ページ目の原稿領域を特定する第２の特定手段と、
前記第１の特定手段若しくは前記第２の特定手段により特定された（２ｐ−２）ページ目の原稿領域内の画像を（２ｐ−２）ページ目の画像として取得する第２の取得手段と
を備えることを特徴とする画像処理装置。
【請求項１１】
更に、
前記撮像部が最初に撮像した撮像画像中のエッジ線群から四角形領域を構成する４つのエッジ線を選択し、該選択したエッジ線で構成される領域を１ページ目の原稿領域として取得し、該取得した原稿領域内の画像を１ページ目の画像として抽出する手段を備えることを特徴とする請求項１０に記載の画像処理装置。
【請求項１２】
更に、
前記第１の取得手段及び前記第２の取得手段が取得した画像に対して台形補正を行う補正手段を備えることを特徴とする請求項１０又は１１に記載の画像処理装置。
【請求項１３】
更に、
前記補正手段が補正した画像における原稿方向を判別し、該判別した原稿方向に応じて該画像を回転させてからメモリに登録する手段を備えることを特徴とする請求項１２に記載の画像処理装置。
【請求項１４】
更に、
前記メモリに登録された画像を投影して一覧表示する手段を備えることを特徴とする請求項１３に記載の画像処理装置。
【請求項１５】
更に、
（２ｐ−１）ページ目の画像と、（２ｐ−３）ページ目の画像とで画素値の差が閾値よりも小さい領域を特定し、（２ｐ−３）ページ目の画像から該特定した領域を取り除く手段を備えることを特徴とする請求項１０乃至１４の何れか１項に記載の画像処理装置。
【請求項１６】
更に、
（２ｐ−２）ページ目の画像と、（２ｐ−４）ページ目の画像とで画素値の差が閾値よりも小さい領域を特定し、（２ｐ−２）ページ目の画像から該特定した領域を取り除く手段を備えることを特徴とする請求項１０乃至１５の何れか１項に記載の画像処理装置。
【請求項１７】
画像処理装置が行う画像処理方法であって、
前記画像処理装置の撮像画像を取得する手段が、原稿台上に載置された複数枚綴りの原稿を撮像するために設けられた撮像部が、１枚の原稿がめくられる度に撮像した該原稿の撮像画像を取得する工程と、
前記画像処理装置の第１の取得手段が、前記撮像部がｐ（ｐは２以上の自然数）回目に撮像した撮像画像を撮像画像ｐとし、撮像画像ｐに対し、撮像画像（ｐ−１）から特定されている（２ｐ−３）ページ目の原稿領域と同位置に領域を設定し、該設定した領域から（２ｐ−１）ページ目の原稿領域を特定すると共に、該特定した原稿領域内の画像を（２ｐ−１）ページ目の原稿画像として取得する第１の取得工程と、
前記画像処理装置の第１の特定手段が、撮像画像（ｐ−１）から（２ｐ−４）ページ目の原稿領域が特定されていない場合には、撮像画像ｐ中の（２ｐ−１）ページ目の原稿領域から撮像画像ｐ中における（２ｐ−２）ページ目の原稿領域を特定する第１の特定工程と、
前記画像処理装置の第２の特定手段が、撮像画像（ｐ−１）から（２ｐ−４）ページ目の原稿領域が特定されている場合には、撮像画像ｐに対し、（２ｐ−４）ページ目の原稿領域と同位置に領域を設定し、該設定した領域から（２ｐ−２）ページ目の原稿領域を特定する第２の特定工程と、
前記画像処理装置の第２の取得手段が、前記第１の特定工程若しくは前記第２の特定工程で特定された（２ｐ−２）ページ目の原稿領域内の画像を（２ｐ−２）ページ目の画像として取得する第２の取得工程と
を備えることを特徴とする画像処理方法。
【請求項１８】
コンピュータを、請求項１乃至８，１０乃至１６の何れか１項に記載の画像処理装置の各手段として機能させるためのコンピュータプログラム。
【請求項１９】
請求項１８に記載のコンピュータプログラムを格納した、コンピュータ読み取り可能な記憶媒体。